(57)【要約】      （修正有） 【課題】所要の荷物を収容して移送するための折畳みパレットであって、折畳み状態での保管時または輸送時に、その積み重ね台数の増加が図られるように全体を薄型に形成した新規の折畳みパレットを提供する。【解決手段】柱体５、６を倒した際にその上端部が当たる部分に、当該両柱体の何れか一方の上端部下面を収容するための凹所１ａ、１ｂを底面枠１に形成すると共に、ガイドポスト３の内面に形成されている折畳み時の柱体５、６を受け止めるための立上り片３ａの高さを、当該柱体５、６の下端をやや持ち上げるような丈高とするように構成してなる折畳みパレット。【選択図】図１
0003140279.tif 000002
【実用新案登録請求の範囲】
【請求項１】
底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、
当該柱体5，6を倒した際にその上端部が当たる部分に、当該両柱体の何れか一方の上端部下面を収容するための凹所1ａ、1ｂを当該底面枠１に形成すると共に、前記ガイドポスト３の内面に形成されている折畳み時の柱体5，6を受け止めるための立上り片3ａの高さを、当該柱体5，6の下端をやや持ち上げるような丈高とするように構成してなる折畳みパレット。  
【請求項２】
底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、
上記した側面枠４として、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成すると共に、当該上縁形成用枠杆4ｂ及び下縁形成用枠杆4ｃの両端部に肉薄部ａを形成し、当該肉薄部ａを正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成した折畳みパレット。
【請求項３】
底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、
当該柱体5，6を倒した際にその上端部が当たる部分に、当該両柱体の何れか一方の上端部下面を収容するための凹所1ａ、1ｂを当該底面枠１に形成すると共に、前記ガイドポスト３の内面に形成されている折畳み時の柱体5，6を受け止めるための立上り片3ａの高さを、当該柱体5，6の下端をやや持ち上げるような丈高とするように構成し、
更に、上記した側面枠４として、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成すると共に、当該上縁形成用枠杆4ｂ及び下縁形成用枠杆4ｃの両端部に肉薄部ａを形成し、当該肉薄部ａを正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成した折畳みパレット。
【請求項４】
請求項１乃至請求項３の何れかの構成に基づき図られた折畳み状態下における肉薄化寸法分だけ、ガイドポスト３の高さ寸法を減じるように構成した請求項１乃至請求項３の何れかに記載の折畳みパレット。
【請求項５】
折畳みパレットを網パレットとしてなる請求項１乃至請求項４の何れかに記載の折畳みパレット。
【考案の詳細な説明】
【技術分野】
【０００１】
本考案は、所要の荷物を収容して移送するための折畳みパレットであって、折畳み状態での保管時または輸送時に、その積み重ね台数の増加が図られるように全体を薄型に形成した折畳みパレットに関する。
【背景技術】
【０００２】
元来、折畳みパレットとは、正背両面枠及び左右両面枠を、底面枠上に重ね合わせるように構成し、その保管時等に於いてこれを段積みすることができるように構成したものである。  （例えば、特許文献１参照。）。
【０００３】
【特許文献１】実公平７−２８１１３号公報
【考案の開示】
【考案が解決しようとする課題】
【０００４】
上述したような従来の折畳みパレットの場合、折畳み状態における薄型化を図る配慮は殆ど採られていなかった。  そして、コンテナーに積載しての輸送は、コンテナーの高さが決まっているために、通常、９段程度の積重ねに制限されることを余儀なくされた。
本考案はこのような従来の問題点を解消するために、折畳み状態にあるパレットの厚さの減少化を図るように構成し、これにより、例えば１３段程度とするよう積重ね数の増大化目的を達成させ、上記した折畳み状態での輸送に際するそのコストの低廉化目的が達成されるようにした新規の「折畳みパレット」の提供を図ったものである。
【課題を解決するための手段】
【０００５】
本考案は請求項１に記載のように、底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、当該柱体5，6を倒した際にその上端部が当たる部分に、当該両柱体の何れか一方の上端部下面を収容するための凹所1ａ、1ｂを当該底面枠１に形成すると共に、前記ガイドポスト３の内面に形成されている折畳み時の柱体5，6を受け止めるための立上り片3ａの高さを、当該柱体5，6の下端をやや持ち上げるような丈高とするように構成してなる折畳みパレットに係るものである。
【０００６】
本考案は請求項２に記載のように、底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、上記した側面枠４として、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成すると共に、当該上縁形成用枠杆4ｂ及び下縁形成用枠杆4ｃの両端部に肉薄部ａを形成し、当該肉薄部ａを正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成した折畳みパレットを実施の態様とするものである。
【０００７】
また本考案は、請求項３に記載のように、底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、
当該柱体5，6を倒した際にその上端部が当たる部分に、当該両柱体の何れか一方の上端部下面を収容するための凹所1ａ、1ｂを当該底面枠１に形成すると共に、前記ガイドポスト３の内面に形成されている折畳み時の柱体5，6を受け止めるための立上り片3ａの高さを、当該柱体5，6の下端をやや持ち上げるような丈高とするように構成し、更に、上記した側面枠４として、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成すると共に、当該上縁形成用枠杆4ｂ及び下縁形成用枠杆4ｃの両端部に肉薄部ａを形成し、当該肉薄部ａを正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成した折畳みパレットを実施の態様とする。
【０００８】
更に本考案は、請求項４に記載のように、請求項１乃至請求項３の何れかの構成に基づき図られた折畳み状態下における肉薄化寸法分だけ、ガイドポスト３の高さ寸法を減じるように構成した請求項１乃至請求項３の何れかに記載の折畳みパレットを実施の態様とする。
【０００９】
更に本考案は、請求項５に記載のように、折畳みパレットを網パレットとしてなる請求項１乃至請求項４の何れかに記載の折畳みパレットを実施の態様とするものである。
【考案の効果】
【００１０】
本考案に係る折畳みパレットは、請求項１に記載のように、底面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、当該柱体5，6を倒した際にその上端部が当たる部分に、当該両柱体の何れか一方の上端部下面を収容するための凹所1ａ、1ｂを当該底面枠１に形成すると共に、前記ガイドポスト３の内面に形成されている折畳み時の柱体5，6を受け止めるための立上り片3ａの高さを、当該柱体5，6の下端をやや持ち上げるような丈高とするように構成したから、当該折畳み状態下における厚さ寸法を、上記凹所内に収容された柱体の先端部分だけ減じることができ、これにより多数のパレットの折畳み状態での積重ねの合理化を図ることができる。
【００１１】
本考案に係る折畳みパレットは、請求項２に記載のように、面枠１の正面及び背面に正面枠Ｂと背面枠Ａを、当該底板部１上に重ね合わせるように折畳むと共に、底面枠１の四隅に取付けたガイドポスト３に対して起伏自在に連結した柱体5，6を具えた左右の側面枠4を、当該柱体ごと底面枠１上に重ね合わせて折畳むように構成したパレットにおいて、上記した側面枠４として、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成すると共に、当該上縁形成用枠杆4ｂ及び下縁形成用枠杆4ｃの両端部に肉薄部ａを形成し、当該肉薄部ａを正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成したから、当該上縁形成用枠杆4ｂ及び下縁形成用枠杆4ｃの厚さ分だけ、折畳み状態下における厚さ寸法を減じることができ、これにより多数のパレットの折畳み状態での積重ねの合理化を図ることができる。
【００１２】
本考案に係る折畳みパレットは、請求項３に記載のように請求項１の構成に加えて、請求項２に記載の構成を具備させたから、上述したような夫々の構成からもたらされ折畳み状態下における厚さ寸法の二重的減少化が図られるこれにより多数のパレットの折畳み状態での積重ねの合理化を図ることができる。
【００１３】
本考案に係る折畳みパレットは、請求項４に記載のように、請求項１乃至請求項３の何れかの構成に基づき図られた折畳み状態下における肉薄化寸法分だけ、ガイドポスト３の高さ寸法を減じるように構成したから、定められた高さ内でのパレットの積重ね可能数の増加が図られることとなる。  すなわち、当該ガイドポスト３の高さ寸法を減じても、下位側の側面枠の存在が、上位側に位置するパレットの底面部分に接触してしまうことが回避されるため、このような作用効果を得ることができる。
【００１４】
本考案は請求項５に記載のように、折畳みパレットを網パレットとすることにより、単なる箱パレットとしての実施の場合に比して、凹所1ａ、1ｂの形成上等においてその実施の容易性が図られる。
【考案を実施するための最良の形態】
【００１５】
本考案の実施対象とする折畳みパレットであるが、これは、底面枠の正面及び背面に正面枠と背面枠を、当該底板部上に重ね合わせるように折畳み、然る後、両端部に柱体を備えた左右の側面枠を柱ごと、その上に重ね合わせて折畳むように構成したパレットを本考案の実施対象とする。
【００１６】
図１は折畳み状態にある本考案の正面図、図２はその要部を示す拡大図である。  同図において、１は底面枠であって、その底面にはスキー２が固設されている。  2ａは当該スキー２に対する補強枠である。
【００１７】
３は上記底面枠１の四隅に立設したガイドポストであって、後述する左右の側面枠4，4に取り付けられている柱体5，6を起伏自在に取り付けるためのものである。
【００１８】
図３乃至図６は左右の側面枠４を表したものであって、当該側面枠４は、両側部に位置する正面側柱体５と背面側柱体６と、当該柱体5，6間に架設した上縁形成用枠杆4ｂ及び下縁形成用枠杆4ｃで形成された矩形状枠部分に、所要の枠面形成材4ａ張設するように構成したものである。  なお、図示の実施例にあっては、当該枠面形成材4ａとして網材を張設するように構成してある。  然し乍、当該枠面形成材4ａとしてボード状のものを用いるように構成しても良い。
【００１９】
ところで、上記した正面側柱体５と背面側柱体６との間に対する上縁形成用枠杆4ｂ及び下縁形成用枠杆4ｃの取り付け構造であるが、これは図５及び図６に示すように、上縁形成用枠杆4ｂ及び下縁形成用枠杆4ｃの両端部に肉薄部ａを形成し、当該肉薄部ａを
正面側柱体５と背面側柱体６内に突入させることによって、当該上縁形成用枠杆4ｂ及び下縁形成用枠杆4ｃの表面と、正面側柱体５と背面側柱体６の表面とが面一状とするように構成し、これにより、当該上縁形成用枠杆4ｂ及び下縁形成用枠杆4ｃを、正面側柱体５と背面側柱体６の表面に交差させるようにして取り付けた場合に生じる、側面枠４全体の肉厚化というような問題発生を回避している。  すなわち、本考案は上記のような構成を採用することにより、上縁形成用枠杆4ｂ及び下縁形成用枠杆4ｃの肉厚は、正面側柱体５と背面側柱体６の対向面内に収められてしまうため、当該側面枠４の厚さは、正面側柱体５と背面側柱体６の幅のみの寸法とされることとなる。
このような構成は本考案の技術的要部の一つとするものである。
【００２０】
次に、前記した左右の側面枠４の底面枠１に対する起伏自在の取付けであるが、これは下記のように構成してある。
【００２１】
図１及び図２に示すように、側面枠４の柱体5，6の下端部を、底面枠１の四隅に立設したガイドポスト３内に突入させ、パレットを組立て状態とするためには、当該柱体5，6を垂直に立ち上がらせることによって行い、また、パレットを折畳み状態とするためには、当該柱体5，6を底面枠１上に倒すことによって行われるように構成してある。
【００２２】
そのための具体的手段であるが、これは、当該ガイドポスト３には矩形状案内窓孔ｂを開設すると共に、柱体5，6の下端に突設した回動制御用軸状突起ｃを当該案内窓孔ｂ内に突入させることにより、当該柱体5，6はガイドポスト３に対して起伏自在に取付けられるように構成してある。
更に、当該柱体5，6の立ち上がり状態での安定化は、ガイドポスト３の上縁に形成した掛止め用切欠き部ｄに対して、正面側柱体５と背面側柱体６の所定位置に突設した係止用突起ｅを係止させることによって行われ、当該柱体5，6をやや持ち上げることによって当該係止を解除させた状態で、当該柱体5，6を図１及び図２に示すように倒すことにより、側面枠４が底面枠１上に折畳まれるように構成してある。
【００２３】
なお、このようなガイドポスト３に対する柱体5，6の折畳み自在とする取り付け構造は公知技術に属するものであり、特許文献１に示すものに於いても同様な構成を採っている。
【００２４】
本考案は上記したような底面枠１上に対する左右の側面枠４の折畳み形態が、その折畳み状態の厚さを少なくするようなコンパクト化が図られるように構成したことを主たる技術的要部とするものである。
【００２５】
すなわち、本考案においては、前述した底面枠１の前縁部分と後縁部分において、前記した柱体5，6を倒した際にその上端部が当たる部分に、当該両柱体の何れか一方の上端部下面を収容するための凹所1ａ、1ｂを形成すると共に、前記ガイドポスト３の内面に形成されている折畳み時の柱体5，6を受け止めるための立上り片3ａの高さを、当該柱体5，6の下端をやや持ち上げるように丈高とするように構成してある。  
【００２６】
すなわち、このような構成に基づき、柱体5または6の何れか一方の上端部下面が凹所1ａまたは1ｂ内に収めることができ、折畳み状態にある柱体5，6は、その上端を下にした緩傾斜状態に保持されるように構成してある。（図１及び図２参照）
【００２７】
なお、図１０は従来例を示し、上記したように折畳み時の柱体5，6を受け止めるための立上り片3ａの高さを丈高とせずに、柱体を水平状態で折畳むようにした場合を現したものであり、この場合は柱体の上端部分を底面枠１側に沈めこむような動作を行うことが出来ないこととなる。  本考案にあっては、上述したように折畳み状態にある柱体5，6は、その上端を下にした緩傾斜状態に保持されるように構成することにより、その先端下面部分を凹所1ａまたは1ｂ内に収めることができることとなる。
【００２８】
ところで、上述したように一方の柱体の上端部下面収容用たる凹所1ａと、他方の柱体の上端部下面収容用たる凹所1ｂとの両方を底面枠１に形成したのは、左側の側面枠と右側の側面枠の何れを先行させて折畳んでもその先端下面部分の収容が行われるという、指向性（順番性）排除を企図したためである。
【００２９】
上記したような折畳みが行われることにより、当該部分の全体の厚さ寸法を薄くすることができ、そのため、折畳み状態にある複数のパレットを重ねる際の保持用柱としても機能するガイドポスト３の高さを、通常の場合のものに比して丈低にすることが出来（これを低くしても、下位側の側面枠の存在が、上位側に位置するパレットの底面部分に接触してしまうことが回避される。）、従って、折畳み状態におけるパレット全体の厚さ減少化、すなわち、定められた高さ内でのパレットの積重ね可能数の増加が図られることとなる。
【００３０】
3ｂはガイドポスト３の下面に突設した連結用突起片、5ａ及び6ａは柱体5，6の上端面に形成した連結用口部であって、組立て状態にある複数のパレットを積重ねる際に、下位に位置するパレットに於ける柱体5，6の上端（連結用口部）に対して、上位に位置するパレットにおけるガイドポスト３の連結用突起片3ｂをしっくりと受け入れることにより、その積重ねの安定化を図るためのものである。
【００３１】
図８及び図９は本考案の実施対象とする折畳みパレットの一例を表したものであって、同図においては各面の枠を網枠で形成した網パレットとしてあり、本考案はこのような網パレットを主たる実施の対象とするが、これ以外、例えば底面を含め各面を板状面とする所謂箱パレットにおいても実施可能とするものである。
【００３２】
そして、図９に略示するように、本考案の実施対象とする折畳みパレットは、底面枠１の背面側に背面枠Ａをその下端縁に於いて起伏自在に取り付け、そして、当該底面枠１の正面側に正面枠Ｂその下端縁に於いて起伏自在に取り付け、更に、当該底面枠１の両側面側に、既述したような柱体5，6を具えた左右の側面枠４を折畳み自在に取り付けるように構成したものである。
【００３３】
なお、図８に示す実施例に於いては、正面枠Ｂとして、これを上半部分と下半部分とに分割形成し、その全体を開くことが出来るだけではなく、上半部分だけを開くことも出来るように構成することに依って、収容物のとれ収容及び取り出し作業の容易性が図られるようにしてあるが、単なる一枚の正面枠とするように構成したものも本考案の実施の対象とするものである。
【図面の簡単な説明】
【００３４】
【図１】本考案に係る折畳みパレットの折畳み状態を表した正面図である。
【図２】本考案に係る折畳みパレットの折畳み状態における要部を拡大して表した正面図である。
【図３】本考案における側面枠４を表した正面図である。
【図４】本考案における側面枠４を表した側面図である。
【図５】本考案における側面枠４を表した平面図である。
【図６】本考案における側面枠４における要部を拡大して表した平面図である。
【図７】本考案における底面枠1 を表した平面図である。
【図８】本考案の実施対象の一つとする折畳みパレットの正面図である。
【図９】本考案の実施対象の一つとする折畳みパレットの概要を表した説明用平面図である。
【図１０】本考案の作用効果を対比するために従来例を示す要部拡大正面図である。
【符号の説明】
【００３５】
１  底面枠
1ａ 凹所
1ｂ 凹所  
２  スキー
2ａ 補強枠
３  ガイドポスト
3a  立上り片
3ｂ 連結用突起片
ｂ  矩形状案内窓孔
ｃ  回動制御用軸状突起
ｄ  掛止め用切欠き部
４  側面枠
4ａ 枠面形成材
4ｂ 上縁形成用枠杆
4ｃ 下縁形成用枠杆
ａ  肉薄部
５  正面側柱体
5ａ 連結用口部
６  背面側柱体
6ａ 連結用口部
ｅ  係止用突起
A   背面枠
B   正面枠
【図１】
0003140279.tif 000003
【図２】
0003140279.tif 000004
【図３】
0003140279.tif 000005
【図４】
0003140279.tif 000006
【図５】
0003140279.tif 000007
【図６】
0003140279.tif 000008
【図７】
0003140279.tif 000009
【図８】
0003140279.tif 000010
【図９】
0003140279.tif 000011
【図１０】
0003140279.tif 000012